(57)【特許請求の範囲】
【請求項１】
発泡材からなる基盤の両面に金属平板を積層したボードと、このボードを収納するフレーム構造体と、このフレーム構造体の左右側面に設けられた一対のローラと、この一対のローラに跨って配置された筆記シートと、前記フレーム構造体の左右側面のいずれか一方に設けられ、前記筆記シートの筆記を読み取る読取装置と、前記ローラの回転駆動用モーターと、操作パネルとを有し、前記ローラの回転駆動用モーター、読取装置、操作パネルを全て、前記フレーム構造体の右側、或いは左側に配置したことを特徴とする電子黒板装置。
【発明の詳細な説明】
【技術分野】
【０００１】
本発明は、薄型軽量な電子黒板装置に関するものである。
【背景技術】
【０００２】
電子黒板装置は、白色の筆記シートに、マーカーで文字や図形を記入すると共に、この記入した表面を光学センサーによって画像情報として読み取り、読み取った画像情報を縮小して紙に印刷し、或いは記録媒体に記録する機能を有することを特徴としている
【０００３】
電子黒板装置は、本来的に利用者がマーカーによって筆記するものであり、このときの筆記圧を受けるサポート材として発泡材からなるボードを用いている。
しかしながら、従来の電子黒板装置では、この発泡材からなるボードは剛性が足りないため、筆記時にたわんでしまう。
このボードのたわみを防止するため、ボードを支えるフレームには、高い剛性が求められる。このため、ボードの背面において、複数の補強用のフレームが使用されている。
このため、従来の電子黒板装置は、重く、また奥行き方向の幅が厚いものとなっていた。
【先行技術文献】
【特許文献】
【０００４】
【特許文献１】特開平１１−４２８８９号
【特許文献２】特開平８−１８３２９２号
【発明の開示】
【発明が解決しようとする課題】
【０００５】
上記特許文献１には、電子黒板を小型化、軽量化する技術が示されている。また、特許文献２には筆記用ボードとしてハニカム構造の紙材を用いることで電子黒板の小型化軽量化を行う技術が示されている。
【０００６】
上記の特許文献１は、補強枠を用いるものであり、その分奥行き方向が厚くなってしまう。また、読取装置が電子黒板装置の裏に設けられているため、その読取装置を配置する空間分、更に奥行き方向に厚くなってしまう。
上記の特許文献２は、紙のハニカム構造のみでは、剛性を十分に得ることは難しく、筆記の際の押圧でボードがたわんでしまう。また、紙のみによって広い電子黒板の筆記面を均一な平面とすることは困難であり、筆記画像の読み取り動作に支障をきたしてしまう。
【課題を解決するための手段】
【０００７】
上記課題を解決するため本発明は、請求項１に記載するとおり、電子黒板装置であって、発泡材からなる基盤の両面に金属平板を積層したボードと、このボードを収納するフレーム構造体と、このフレーム構造体の左右側面に設けられた一対のローラと、この一対のローラに跨って配置された筆記シートと、前記フレーム構造体の左右側面のいずれか一方に設けられ、前記筆記シートの筆記を読み取る読取装置とからなることを特徴としている。
【０００８】
また、請求項２に記載のとおり、前記金属平板は磁性体で構成され、前記フレーム構造体は非磁性体で構成されたことを特徴としている。
また、請求項３に記載のとおり、前記ローラの１つは、固定用フックとバネとが設けられたシート着脱用部材に回転可能に固定され、前記フレーム構造体には前記固定用フックに対応した固定用開口を有し、前記ローラを前記フレーム構造体側に押し込み、前記固定用フックを前記固定用開口に係止させることにより、前記ローラを一時的に前記フレーム構造体側に挿入固定させることによって、前記筆記シートの着脱を行うことを特徴としている。
【発明の効果】
【０００９】
本発明によれば、ボード自体に剛性を持たせることによって、フレーム構造体の剛性を高くする必要が無くなり、従って補強フレームが不要となり、電子黒板装置の小型化、軽量化、薄型化が可能となる。
【発明を実施するための形態】
【００１０】
以下、本発明を実施するための最良の形態について、図面を参照して詳細に説明する。
【実施例】
【００１１】
以下、図に沿って本発明の一実施例を説明する。
図１は本発明の一実施例を示すものであり、主要構成部品を分離した状態を示す斜視図である。
１は例えばアルミニウム等の非磁性体で構成されたフレーム構造体、２はこのフレーム構造体の左右側面に配置される一対のローラ、３はフレーム構造体１の中に収納されるボードであり、発泡材からなる基盤とその両面に接着剤で接着された磁性体である鉄の平板で構成されている。
４は電子黒板装置本体の表面において、マーカーによって書き込みを行う筆記シートであり、５はフレーム構造体１の一方に配置されて、前記筆記シート４上に筆記された筆記画像を読み取る読取装置、６は外装を構成する化粧枠であり、この化粧枠には、操作パネル９が配置されている。
７は筆記用のマーカーやイレイサーを置く樹脂材で構成されたトレイである。尚、図示しないが、化粧枠６の裏側は、筆記シート４保護用の樹脂性プレートで覆われる。
【００１２】
図２に化粧枠６を外した状態の概念図を示し、図３に化粧枠６を取り付けた状態の概念図を示す。
上記のとおり、ボード３の表面は鉄製の平板で構成されているため、筆記シート４上に、例えばマグネットシートやボタン状磁石などの磁石材を貼り付けることが可能となっている。
フレーム構造体１の左右のスペーサーフレーム部８とボード３は、連続した平面を構成し、筆記シート４にマーカー等で筆記する場合の筆圧を受け止める筆記サポート面を構成する。したがって、筆記面の左右の一定部分には磁石材などが張り付かない構造となっている。
【００１３】
このスペーサーフレーム部８がなく、筆記面全体が磁性体で構成され、磁石材が貼り付けられる構造の場合、上記の磁石材を筆記面に貼り付けたままの状態で筆記シート４を右方向、或いは左方向にフィードした場合に、磁石材が筆記シート４と共に移動し電子黒板本体内部に入り込み、目詰まりを起こすことがある。そして、最悪の場合は、読取装置５を破損してしまう。
【００１４】
本実施例の電子黒板装置においては、上記の磁石材を筆記面に貼り付けたままの状態で筆記シート４を右方向、或いは左方向にフィードした場合に、磁石材が、スペーサーフレーム部８で落下して、化粧枠６の内部に入り込むことが防止され、上記のような、読取装置５を破損してしまうといったことは発生しない。
【００１５】
フレーム構造体１の左右のスペーサーフレーム部８の近傍には、これに平行に一対のローラ２が配置されており、このローラ２の一つにはこのローラ２を回転駆動するモーター２１が接続されている。
また、一対のローラ２及びフレーム構造体１を覆うように、筆記シート４が配置されている。
この筆記シート４は、上記のモーター２１によるローラ２の回転によって、左右にフィードされる。
このフィードによって、筆記シート４の前面は後面に移動されると共に、後面は前面に移動され、２ページ分の筆記が可能となっている。
【００１６】
上記のモーター２１の接続されたローラ２の近傍には、これに平行して読取装置５が取り付けられている。
この読取装置５は、図示しないＬＥＤ及びＣＣＤ撮像素子が、アレイ状に配置されたものであり、筆記シート４上の筆記画像を、縦方向かつ短冊状に、ＬＥＤにより均一に照らしながら、順次ＣＣＤ撮像素子で読み取るものである。
操作パネル９に設けられた図示しないコピーボタンが押された場合、上記の筆記シート４のフィードによって筆記シート４が移動され、その移動に同期して、筆記シート４上の筆記がこの読取装置５によって筆記画像として読み取られる。
【００１７】
次に図４を用いて、ローラ２とフレーム構造体１とを連結する筆記シート着脱用部材１０について説明する。
ローラ２は、樹脂材で構成された筆記シート着脱用部材１０に、回転可能に固定されており、この筆記シート着脱用部材１０の一端には、ローラ２を回転可能に支持する軸材１１が配置されている。
また、この筆記シート着脱用部材１０の他端には弾性材であるバネ１２を収納するための溝１３が形成されている。
更に、筆記シート着脱用部材１０の上面には、筆記シート４を着脱する際に、フレーム構造体１に固定するための固定用フック１４が設けられている。一方、フレーム構造体１には、この固定用フック１４に対向するように、固定用開口１５が設けられると共に、バネ１２を固定するためのストッパー部分１６が設けられている。
【００１８】
図５を用いて、筆記シート着脱用部材１０の動作を説明する。
筆記シート着脱用部材１０は、筒状のフレーム構造体１にバネ１２を介して固定される。
図示しない筆記シート４を装着する場合は図５（２）に示すように、筆記シート着脱用部材１０を、フレーム構造体１内に押し込み、固定用開口１５に固定用フック１４が係合するように、少し押し上げることで、筆記シート着脱用部材１０はフレーム構造体１内に挿入固定される。
筆記シート４を収納した後は、図５（１）に示すように、固定用フック１４を少し押し下げることにより、固定用フック１４は固定用開口１５から外れ、バネ１０によって筆記シート着脱用部材１０は押し出され、筆記シート４はローラ２によって加圧した状態で保持される。
【００１９】
この実施例のフレーム構造体１は、各フレームがアルミニウム材で形成されているが、これは上記のとおり筆記面の左右端部を非磁性材とすることにより、磁石材を巻き込むのを防止するためであり、更に、電子黒板装置の重量の大半を占めるフレーム構造体を、軽量のアルミニウム材で構成したことにより電子黒板装置の重量の低減が図れる。
また、筆記シート着脱用部材１０は、樹脂材で形成されているが、これは、フレーム構造体１内に出し入れする際に雑音が発生するのを防止すること、及び製造コストの低減のためである。
【００２０】
従来、筆記シート４を着脱するためには、ローラ２の筆記シート着脱用部材１０をフレーム構造体１内に押し入れて、外付けのピンで一時的に止める等の操作が必要であり、筆記シート４の着脱作業が面倒であった。
しかしながら、本実施例の筆記シート着脱用部材１０は、固定用フック部１４を設けるだけで、簡単にフレーム構造体１内に筆記シート着脱用部材１０を挿入した状態を保持することが可能となり、筆記シート４の着脱作業が容易となる。
【００２１】
ボード３は、図６に示すように、ポリエチレンなどで構成された発泡材基盤１７の両面に、鉄板で構成された磁性体金属１８が、接着剤によって接着されている。この発泡材基盤１７は樹脂性であり軽い反面、剛性が低い。
このため、磁性体金属１８で両面を覆うことで、剛性を高めている。
尚、このボード３は、その左右側面にローラ２が配置されたフレーム構造体１にねじ止めされる。
ボード３自体の剛性が高いため、フレーム構造体１の剛性を高くする必要がなく、フレーム構造体１の奥行き方向の幅を小さくできる。
このため、電子黒板装置としての薄型化、軽量化が達成されている。
【００２２】
このフレーム構造体１にローラ２、ボード３を配置固定した状態で、筆記シート４が配置された後、読取装置５がフレーム構造体１に配置固定される。
したがって、筆記シート４を交換する場合は、読取装置５を取り外さなければならないが、フレーム構造体１及び読取装置５がブロック化された構造であるため、読取装置５の取り外しは容易であり、長期間の使用などにより破損した場合の筆記シート４の交換作業等は容易に行われる。
【００２３】
図７にトレイ７を示す。
このトレイ７には、長手方向に突出部１９が設けられている。
これは、イレイサーの飛び跳ね落下防止のための構造である。
近年、電子黒板装置用、或いはホワイトボード用のイレイサーとしてメラミンフォームを用いることがある。このメラミンフォームは、消去性に優れている。しかしながら、非常に弾力性があり、平面に軽く落下させるだけで、大きく飛び跳ねてしまうことがある。
トレイ７の面を平面で構成した場合、トレイ７にイレイサーを軽く置いたつもりでも、トレイ７から飛び跳ねて、床に落下することがあった。
この問題を解決するために、平面に突起を設けるだけで飛び跳ねを防止することが可能であることが判明し、突出部１９を設けたものである。
このトレイ７は、図３に示されるように、化粧枠６の下に配置固定される。このように、トレイ７を化粧枠６と一体とせず、分離して設けたことにより、電子黒板装置を箱につめ、搬送する場合、破損することがなく、また箱をより薄いものとすることが可能となり、搬送コストの低減が図られる。
【００２４】
図８に化粧枠６を示す。
この化粧枠６は、上枠６１、下枠６２、右枠６３、左枠６４、及び左枠に設けられた操作パネル９で構成される。
このように、化粧枠６は、４つの枠で構成され、それぞれの枠はフレーム構造体１に保持固定される。
尚、このとき、各枠は、フレーム構造体１を挟み込むように配置されるため、所定の位置に正確に配置固定ができ、その後のねじ止めも容易となる。このように化粧枠６を一体で構成することなく、分割して設けることで、製造工程上、従来２人での作業が必要であったものが、一人で作業をすることが可能となる。
【００２５】
以上の構成からなる電子黒板装置の、化粧枠６上の操作パネル９に設けられたスイッチを操作することにより、モーターが駆動され、筆記シート４はフィードされると共に、電子黒板装置の側面に配置された読取装置５によって、筆記シート４の筆記面が読み取られる。
印刷用スイッチを操作した場合は、この読み取られた筆記画像データは、図示しないプリンタに送られ印刷される。また、外部メモリへの記録用ボタンを操作した場合は、図示しない外部メモリへ、前記読み取られた筆記画像データが転送され、記録される。
また、筆記シート４のフィードによって、本体の後面に位置していた筆記シート４が本体前面に移動し、この面も筆記に用いられる。
尚、必要であれば、操作パネル９の移送スイッチによって、読み取られた面を、再度本体前面に移動させる。
【００２６】
尚、図示しないが、この電子黒板装置には、プリンタ接続用の接続端子、パソコン接続用の接続端子、ローカルエリアネットワーク接続端子、及び外部メモリ接続用の接続端子が設けられている。
【００２７】
本発明の電子黒板装置においては、筆記面の端部に非磁性体からなる平面部を設けたため、誤って、磁石材を貼り付けたまま、筆記シートをフィードしても、筆記面端部で、確実に剥がれるため、読取装置を破損することがない。
更に、ボード３自体に剛性を持たせたため、フレーム構造体１を軽量、薄型に構成でき、電子黒板自体の軽量化、小型化が可能となる。
また、筆記シート４の着脱が容易に行えるため、製造工程が容易となり、製造コストの低減に寄与する。
【００２８】
尚、図示しないが、電子回路基盤、プリンタ接続用の接続端子、パソコン接続用の接続端子、ローカルエリアネットワーク接続端子、及び外部メモリ接続用の接続端子も、操作パネルの下方の化粧枠下部に配置されており、全ての電子部品が、電子黒板装置の図中左側に位置している。
更に、読取装置５、モーター２１、操作パネル９などの電子部品も全て装置の同一の側に配置したことによって、電気配線が短くなり、組み立て作業の効率化が図れると共に、配線などを短くすることで、製造コストの低減化が図れる。
【００２９】
本発明は、上記の実施例に限定されるものではなく、ボード３や筆記シート着脱用部材１０の構造は種々変形が可能である。
例えば、ボード３の裏面側の金属平板は、ハニカム構造体や格子状の構造体を用いてもよい。
更に、フレーム構造体１の材料や構造、化粧枠６の構造も種々の変形が可能である。
【産業上の利用可能性】
【００３０】
本発明は、電子黒板装置を小型、軽量化、薄型化することを可能とするものである。また、電子黒板装置を構成する主要構成部品がそれぞれ、独立したブロックとされているため、容易に組み付けることが可能であり、製造が容易となる。
【図面の簡単な説明】
【００３１】
【図１】図１は、本発明の実施例の形態に係る主要構成部品を表す分離斜視図である。
【図２】図２は、本発明の実施例の形態に係る化粧枠を外した構造を示す概念図である。
【図３】図３は、本発明の実施例の形態に係る電子黒板の外観構造を示す概念図である。
【図４】図４は、本発明の実施例に係るシート着脱用部材の構造を示す正面図である。
【図５】図５は、本発明の実施例に係る、シートを固定した後、及びシートを固定する前のシート着脱用部材の状態を示す側面図である。
【図６】図６は、本発明の実施例に係る、ボードの構造を示す斜視図である。
【図７】図７は、本発明の実施例に係る、トレイの構造を示す斜視図及び断面図である。
【図８】図８は、本発明の実施例に係る、化粧枠の構造を示す分離斜視図である。
【符号の説明】
【００３２】
１：フレーム構造体
２：ローラ
３：ボード
４：筆記シート
５：読取装置
６：化粧枠
７：トレイ
８：スペーサーフレーム部 
９：操作パネル
１０：筆記シート着脱用部材
【図１】
0005899341.tif 000002
【図２】
0005899341.tif 000003
【図３】
0005899341.tif 000004
【図４】
0005899341.tif 000005
【図５】
0005899341.tif 000006
【図６】
0005899341.tif 000007
【図７】
0005899341.tif 000008
【図８】
0005899341.tif 000009